(57)【要約】【課題】小型電子機器のキャップを利用して本体を支持することが目的である。ヒンジにより開閉するキャップであて、キャップの開閉角度を保持する保持機構を有することである。【解決手段】電子機器の表面に配設されるキャップであって、前記キャップはヒンジにより開閉し、前記ヒンジ部には、前記キャップの開閉角度を所定の角度で保持する保持機構を有し、本体を複数の角度で支持することを特徴とするキャップ機構。【選択図】        図１
2006064934.tif 000002
【特許請求の範囲】
【請求項１】
電子機器の表面に配設されるキャップであって、
前記キャップはヒンジにより開閉し、
前記ヒンジ部には、前記キャップの開閉角度を所定の角度で保持する保持機構を有し、
本体を複数の角度で支持することを特徴とするキャップ機構。
【請求項２】
電子機器の表面に配設されるキャップであって、
前記キャップはヒンジにより開閉し、
前記ヒンジの位置は、本体から可変できることを特徴とする請求項１のキャップ機構。
【発明の詳細な説明】
【技術分野】
【０００１】
本発明は、カメラ、ＰＤＡなど小型電子機器のキャップを利用して本体を支持するためのキャップ構造に関するものである。
【背景技術】
【０００２】
本体を支持する方法としては、図１０に示すように、本体の底面に三脚ネジ１００を設け、三脚にネジ止める方法がある。三脚ネジ１００は、本体を三脚に固定することを目的にするので、通常、本体の底面に設けられている。一般的にネジ部の深さは５ｍｍ以上必要とする。
【０００３】
また、別の方法として、図１１に示すように、着脱式のレンズキャップに支持台を設け、支持台に本体を乗せる方法がある。これは、特開平５−２８１５９４号公報のように、レンズキャップ１０１に、支持台１０２を起伏自在に設け、レンズを保護する目的の際は支持台１０２を収納しレンズ前方に取り付け、簡易三脚として使用するときは、レンズキャップ１０１をレンズ１０３から外し、支持台１０２を起し、支持台１０２にカメラ本体１０４をのせるというものである。このとき、Ｌ寸法を大きくとらないと本体の支持が安定しない。
【特許文献１】特開平１０−１５５１００号公報
【発明の開示】
【発明が解決しようとする課題】
【０００４】
近年、カメラ本体の小型化傾向が顕著になっている中では、三脚ネジを使用する方法は、三脚ネジの占めるスペースが、小型化を阻害するという問題がある。
【０００５】
また、レンズキャップに支持台を設け、支持台に本体を乗せる方法は、本体の形状が、図１１に示すＬ寸法が十分確保される必要があり、形状が制約されるという問題がある。
【０００６】
本発明は、上述の問題を解決するためになされたもので、ヒンジで開閉するキャップを利用して、本体を複数の角度で保持できるキャップ機構を提供することを目的とする。
【課題を解決するための手段】
【０００７】
本発明は、
電子機器の表面に配設されるキャップであって、
前記キャップはヒンジにより開閉し、
前記ヒンジ部には、前記キャップの開閉角度を所定の角度で保持する保持機構を有し、
本体を複数の角度で支持することを特徴とするキャップ機構である。
【０００８】
これにより、ヒンジで開閉するキャップを利用して、本体を複数の角度で支持することができる。
【０００９】
さらに、本発明は、
電子機器の表面に配設されるキャップであって、
前記キャップはヒンジにより開閉し、
前記ヒンジ部には、前記キャップの開閉角度を所定の角度で保持する保持機構を有し、
前記ヒンジの位置は、本体から可変できることを特徴とするキャップ機構である。
【００１０】
これにより、ヒンジで開閉するキャップを利用して、本体を支持するときに、本体の傾斜を大きくすることができる。
【発明の効果】
【００１１】
本発明によれば、小型電子機器のキャップを利用して本体を支持することができるので、従来のような三脚ネジが不要となり、本体の底面に三脚ネジを配置するスペースが削減できるので、機器の小型化が可能となる。
【００１２】
また、キャップをヒンジによって開閉し、キャップで本体を支持できるので、本体の大きさが小さい場合でも安定して、本体を複数の角度で支持することができる。
【発明を実施するための最良の形態】
【００１３】
以下に本発明に係るキャップ機構の実施例を図１〜図９を用いて説明する。
【実施例】
【００１４】
図１は、本発明の実施例１である。電子機器本体１の表面の一部をキャップ２が覆っている状態である。キャップ２は、ヒンジの回転軸３を中心に矢印の方向に回転可能である。図２は、キャップ２が回転して、本体の底面の下に位置した状態である。この状態で、簡易三脚として本体を保持した状態が図３ａ），ｂ），ｃ），ｄ）である。
【００１５】
図３ａ）は本体１を左側に倒して保持した状態、図３ｂ）は本体１を直立させて保持した状態、図３ｃ）は本体１を右側に倒して保持した状態、図３ｄ）は本体１を右側に倒して、本体１がキャップ２に当節した状態で、これ以上本体１を倒すことはできない状態である。
【００１６】
図４はヒンジ部の分解図である。本体側の穴４ａ，４ｂとキャップ２の穴５と２枚のシート６にはさまれた板バネ７を回転軸３で同軸上に配置する。
【００１７】
２枚のシート６にはさまれた板バネ７は、本体とキャップの間で変形した状態であり、回転時のフリクションを発生させる。このフリクションにより、キャップ２が本体１を保持するときに、任意の角度を保持することができる。
【００１８】
シート６の目的は、回転しゅう動時のかじり防止である。
【００１９】
また、図５は、キャップ２の回転中心近傍に突起１２を設け、突起１２と対面する側の本体１に回転中心に対し同軸の位置に、突起１２が入り込む複数の凹部（図示せず）を設け、所定の角度で、突起１２と凹部がはまり込むことで、その角度を保持することができる。
【００２０】
図６は本発明の実施例２である。本体１と回転軸３の距離を可変するために、本体１側に穴７を設け、回転軸３側にプレート８を設け、穴７とプレート８を勘合させて組み立てる。そのとき、プレート８上の位置決め突起９を、本体側の位置決め穴１０、１１のどちらにはめるかで、本体１と回転軸３の距離を変えることができる。
【００２１】
図７は、プレート８上の位置決め突起９が、本体１側の位置決め穴１０にはまった状態である。この状態の側面図が図９ａ）である。
【００２２】
図８は、プレート８上の位置決め突起９が、本体１側の位置決め穴１１にはまった状態である。この状態の側面図が図９ｂ）である。
【００２３】
図９ｂ）での本体１の傾きθ１は、図９ａ）での本体１の傾きθ２より小さくできる（θ１＜θ２）。
【００２４】
本体１を大きく傾けて保持するときは、本体１と回転軸３の距離を大きくとれる図８のようにすればよく、そうでないときは、図７の状態で使用すればよい。
【図面の簡単な説明】
【００２５】
【図１】本発明の実施例１を示す図
【図２】本発明の実施例１を示す図
【図３】実施例１の側面図
【図４】保持機構１を示す図
【図５】保持機構２を示す図
【図６】本発明の実施例２を示す図
【図７】本発明の実施例２を示す図
【図８】本発明の実施例２を示す図
【図９】実施例２の側面図
【図１０】従来例１を示す図
【図１１】従来例２を示す図
【符号の説明】
【００２６】
１  本体
２  キャップ
３  回転軸
４  本体側穴
５  キャップ側穴
６  シート
７  板ばね
８  プレート
９  位置決め突起
１０  位置決め穴
１１  位置決め穴
１２  突起
１００  三脚ネジ
１０１  レンズキャップ
１０２  支持台
１０３  レンズ
１０４  カメラ本体
【図１】
2006064934.tif 000003
【図２】
2006064934.tif 000004
【図３】
2006064934.tif 000005
【図４】
2006064934.tif 000006
【図５】
2006064934.tif 000007
【図６】
2006064934.tif 000008
【図７】
2006064934.tif 000009
【図８】
2006064934.tif 000010
【図９】
2006064934.tif 000011
【図１０】
2006064934.tif 000012
【図１１】
2006064934.tif 000013